(57)【特許請求の範囲】
【請求項１】
車両に搭載される車両用通信装置（１１）と、
前記車両用通信装置と通信可能に接続される第１の携帯通信端末（１２）と、
前記第１の携帯通信端末と通信可能に接続される第２の携帯通信端末（１３）と、
で構築される車両用通信システムであって、
前記車両用通信装置、前記第１の携帯通信端末、及び前記第２の携帯通信端末は、それぞれ、相互に連携してコンテンツを実行するための連携アプリケーションを有し、
前記第１の携帯通信端末は、
外部からの操作に基づき前記コンテンツを実行するコンテンツ実行手段（５３，７３）と、
前記コンテンツ実行手段による前記コンテンツの出力を前記車両用通信装置及び／又は前記第２の携帯通信端末へ送信する送信手段（５４，７４）と、
前記車両用通信装置と通信可能に接続された場合に、当該第１の携帯通信端末からの前記コンテンツの操作入力及び当該第１の携帯通信端末からの前記コンテンツの画面出力を禁止する端末側操作入力／画面出力禁止手段（５１，７１）と、
を備え、
前記車両用通信装置は、
前記車両が走行中であるか否かを判定する走行判定手段（３１）と、
前記走行判定手段により前記車両が走行中であると判定された場合に、当該車両用通信装置からの前記コンテンツの操作入力及び／又は当該車両用通信装置からの前記コンテンツの画面出力を禁止する装置側操作入力／画面出力禁止手段（３２）と、
を備え、
前記第２の携帯通信端末は、
前記装置側操作入力／画面出力禁止手段によって前記車両用通信装置からの操作入力及び／又は当該車両用通信装置からの画面出力が禁止された前記コンテンツの当該第２の携帯通信端末からの操作入力及び／又は当該第２の携帯通信端末からの画面出力を可能とする操作入力／画面出力提供手段（５２，７２）と、
を備える車両用通信システム。
【請求項２】
前記端末側操作入力／画面出力禁止手段は、全ての前記コンテンツの前記第１の携帯通信端末からの操作入力及び画面出力を禁止する請求項１に記載の車両用通信システム。
【請求項３】
前記装置側操作入力／画面出力禁止手段は、一部の前記コンテンツの前記車両用通信装置からの操作入力及び／又は画面出力を禁止する請求項１または２に記載の車両用通信システム。
【請求項４】
前記車両の運転者が所有する携帯通信端末が前記第１の携帯通信端末として前記車両用通信装置に通信可能に接続され、
前記車両の運転者以外の者が所有する携帯通信端末が前記第２の携帯通信端末として前記第１の携帯通信端末に接続される請求項１から３の何れか１項に記載の車両用通信システム。
【請求項５】
車両に搭載される車両用通信装置（１１）に他の携帯通信端末が通信可能に接続されていない場合には当該車両用通信装置に第１の携帯通信端末（１２）として通信可能に接続され、前記車両用通信装置に他の携帯通信端末が前記第１の携帯通信端末として通信可能に接続されている場合には当該第１の携帯通信端末に第２の携帯通信端末（１３）として通信可能に接続される携帯通信端末であって、
前記車両用通信装置と相互に連携してコンテンツを実行するための連携アプリケーションを有し、
前記車両用通信装置に前記第１の携帯通信端末として通信可能に接続された場合に、外部からの操作に基づき前記コンテンツを実行するコンテンツ実行手段（５３，７３）と、
前記コンテンツ実行手段による前記コンテンツの出力を前記車両用通信装置及び／又は前記第２の携帯通信端末へ送信する送信手段（５４，７４）と、
前記車両用通信装置と通信可能に接続された場合に、当該第１の携帯通信端末からの前記コンテンツの操作入力及び当該第１の携帯通信端末からの前記コンテンツの画面出力を禁止する端末側操作入力／画面出力禁止手段（５１，７１）と、
前記第１の携帯通信端末に前記第２の携帯通信端末として通信可能に接続された場合に、前記車両用通信装置が備える装置側操作入力／画面出力禁止手段によって前記車両用通信装置からの操作入力及び／又は当該車両用通信装置からの画面出力が禁止された前記コンテンツの当該第２の携帯通信端末からの操作入力及び／又は当該第２の携帯通信端末からの画面出力を可能とする操作入力／画面出力提供手段（５２，７２）と、
を備える携帯通信端末。
【発明の詳細な説明】
【技術分野】
【０００１】
本発明は、車両に搭載される車両用通信装置と当該車両用通信装置に通信可能に接続される携帯通信端末とで構築される車両用通信システム、及び、当該車両用通信システムを構築する車両用通信装置及び携帯通信端末に関する。
【背景技術】
【０００２】
従来より、例えば特許文献１に開示されているように、車両に搭載される車両用通信装置と車両の車室内に持ち込まれた携帯通信端末とを自動的に通信可能に接続する車両用通信システムが考えられている。
【先行技術文献】
【特許文献】
【０００３】
【特許文献１】特開２０１１−２２３５１１号公報
【発明の概要】
【発明が解決しようとする課題】
【０００４】
この種のシステムにおいては、車両用通信装置及び携帯通信端末によりコンテンツを連携して実行する技術が考えられつつあり、さらに、この連携技術において、例えば車両の走行中における運転者による携帯通信端末の操作を防止すべく、携帯通信端末からのコンテンツの利用を禁止してコンテンツを車両用通信装置から利用する構成が考えられている。さらに、車両の走行中における利用が好ましくないと考えられる一部のコンテンツについては、そのコンテンツを車両用通信装置から利用することも禁止する構成が考えられている。しかし、このような構成では、車両の運転者のみならず運転者以外の者、つまり、車両の走行中にコンテンツを利用したとしても走行の安全性を損なわないと考えられる者も一律にコンテンツを利用できなくなってしまう。
【０００５】
本発明は上記した事情に鑑みてなされたものであり、その目的は、車両の走行中にコンテンツを利用したとしても走行の安全性を損なわないと考えられる者であれば、車両の走行中においてもコンテンツを利用することができるようにした車両用通信システム、及び、当該車両用通信システムを構築する車両用通信装置及び携帯通信端末を提供することにある。
【課題を解決するための手段】
【０００６】
複数の者が乗車する場合、通常、車両のキーを有する運転者が最初に車室内に乗り込み、続いて運転者以外の者が車室内に乗り込むことが多い。そのため、運転者が所有する携帯通信端末は、最初に車室内に持ち込まれる場合が多い。従って、本発明の構成においては、車両の運転者が所有する携帯通信端末は、車両用通信装置に他の携帯通信端末が通信可能に接続されていない状態で車室内に持ち込まれて、車両用通信装置に第１の携帯通信端末として通信可能に接続されることが想定される。一方で、運転者以外の者が所有する携帯通信端末は、他の携帯通信端末である運転者の携帯通信端末が車室内に持ち込まれた後に持ち込まれる場合が多い。従って、本発明の構成においては、車両の運転者以外の者が所有する携帯通信端末は、車両用通信装置に他の携帯通信端末（運転者の携帯通信端末）が第１の携帯通信端末として通信可能に接続された後に、その第１の携帯通信端末に第２の携帯通信端末として通信可能に接続されることが想定される。
【０００７】
そして、本発明によれば、コンテンツは運転者が所有すると想定される第１の携帯通信端末にてコンテンツ実行手段によって実行されるものの、その第１の携帯通信端末からのコンテンツの操作入力及びコンテンツの画面出力が端末側操作入力／画面出力禁止手段によって禁止される。つまり、第１の携帯通信端末からはコンテンツの操作入力及び画面出力ができないようになる。さらに、車両が走行中である場合には車両用通信装置からのコンテンツの操作入力及び／又は画面出力が装置側操作入力／画面出力禁止手段によって禁止される。そして、これら第１の携帯通信端末及び車両用通信装置の双方からの操作入力及び／又は画面出力が禁止されたコンテンツは、その操作入力及び／又は画面出力を、運転者以外の者が所有すると想定される第２の携帯通信端末から操作入力／画面出力提供手段によって行うことができるようになる。これにより、第２の携帯通信端末の所有者、つまり、車両の走行中にコンテンツを利用したとしても走行の安全性を損なわないと考えられる運転者以外の者であれば、その者が所有する第２の携帯通信端末からコンテンツの操作入力及び／又は画面出力を行うことができ、コンテンツを利用することができるようになる。
【図面の簡単な説明】
【０００８】
【図１】一実施形態に係る車両用通信システムを含む全体構成を概略的に示す図
【図２】車両用通信システムを構築する車両用通信装置及び携帯通信端末の構成を概略的に示す図
【図３】車両が走行していない状態で車両用通信装置及びメイン携帯通信端末が相互に連携してコンテンツを実行する状態を概略的に示す図
【図４】車両が走行している状態で車両用通信装置及びメイン携帯通信端末が相互に連携してコンテンツを実行する状態を概略的に示す図
【図５】車両用通信システムが構築された状態で車両用通信装置、メイン携帯通信端末及びサブ携帯通信端末が相互に連携してコンテンツを実行する状態を概略的に示す図
【図６】車両用通信装置による制御内容の一例を示すフローチャート
【図７】メイン携帯通信端末による制御内容の一例を示すフローチャート
【図８】サブ携帯通信端末による制御内容の一例を示すフローチャート
【図９】車両用通信装置及びメイン携帯通信端末が相互に通信可能に接続され連携アプリケーションが起動されるまでの画面の遷移状態の一例を示す図
【図１０】車両用通信装置及びメイン携帯通信端末にて連携アプリケーションが起動されコンテンツの実行結果が出力されるまでの画面の遷移状態の一例を示す図
【図１１】車両が走行を開始する前からサブ携帯通信端末にて連携アプリケーションが起動されている場合における画面の遷移状態の一例を示す図
【図１２】車両が走行を開始した後にサブ携帯通信端末にて連携アプリケーションが起動された場合における画面の遷移状態の一例を示す図
【発明を実施するための形態】
【０００９】
以下、本発明の一実施形態について図面を参照しながら説明する。図１に示すように、車両用通信システム１０は、車両用通信装置１１と複数の携帯通信端末１２，１３とで構築される。車両用通信装置１１は、例えば車両に搭載されるナビゲーション装置で構成される。また、携帯通信端末１２は、この場合、車両の運転者が所有する携帯通信端末であり、車両用通信装置１１に他の携帯通信端末が通信可能に接続されていない状態で車室内に持ち込まれて、当該車両用通信装置１１にメイン携帯通信端末として通信可能に接続されている。一方、携帯通信端末１３は、この場合、車両の運転者以外の者が所有する携帯通信端末であり、車両用通信装置１１に他の携帯通信端末である運転者の携帯通信端末がメイン携帯通信端末として通信可能に接続された後に、当該メイン携帯通信端末にサブ携帯通信端末として通信可能に接続されている。即ち、車両用通信システム１０は、先に車両用通信装置１１に通信可能に接続された携帯通信端末がメイン携帯通信端末として設定され、その後にメイン携帯通信端末に通信可能に接続された携帯通信端末がサブ携帯通信端末として設定される構成である。なお、メイン携帯通信端末は、特許請求の範囲に記載の第１の携帯通信端末に相当し、サブ携帯通信端末は、特許請求の範囲に記載の第２の携帯通信端末に相当する。
【００１０】
車両用通信装置１１は、携帯通信端末１２がメイン携帯通信端末として通信可能に接続されると、その旨（メイン携帯通信端末が接続されている旨）を示す信号をメイン接続中信号として他の携帯通信端末に発信する。メイン接続中信号を受信したメイン携帯通信端末以外の携帯通信端末は、車両用通信装置１１にメイン携帯通信端末が接続されていることを認識し、当該車両用通信装置１１ではなくメイン携帯通信端末（この場合、携帯通信端末１２）に通信可能に接続するように設定されている。以下、車両用通信装置１１に通信可能に接続された携帯通信端末１２をメイン携帯通信端末１２と称し、メイン携帯通信端末１２に通信可能に接続された携帯通信端末１３をサブ携帯通信端末１３と称する。
【００１１】
メイン携帯通信端末１２は、通信網１００を介して外部の配信センター１４に接続することで、当該配信センター１４から配信される各種のコンテンツを取得するように設定される。配信センター１４は、インターネットラジオを実現するコンテンツＡ、施設検索サービスを実現するコンテンツＢのほか、音楽配信サービスを実現するコンテンツ、予約サービスを実現するコンテンツなど各種のコンテンツを格納しており、外部の端末や機器から配信要求を受けたコンテンツを通信網１００を介して配信する。なお、配信センター１４から配信されるコンテンツには、そのコンテンツを実行するために必要なアプリケーションやデータなどが含まれる。なお、サブ携帯通信端末１３は、メイン携帯通信端末１２及び通信網１００を介して配信センター１４に接続することで、当該配信センター１４から配信される各種のコンテンツを取得することが可能である。
【００１２】
次に、車両用通信装置１１、メイン携帯通信端末１２、サブ携帯通信端末１３の構成について図２を参照しながら説明する。なお、メイン携帯通信端末１２及びサブ携帯通信端末１３の構成は同一であるが、説明の便宜上、異なる符号を付して説明する。
車両用通信装置１１は、制御部２１、無線通信モジュール２２、記憶部２３、音声処理部２４、表示出力部２５、操作入力部２６、信号入力部２７、位置取得部２８などを備えている。制御部２１は、図示しないＣＰＵ、ＲＡＭ、ＲＯＭ及びＩ／Ｏバスなどを有する周知のマイクロコンピュータで構成されている。制御部２１は、ＲＯＭあるいは記憶部２３などに記憶されているコンピュータプログラムに従って車両用通信装置１１の動作全般を制御する。また、制御部２１は、コンピュータプログラムを実行することにより、走行判定処理部３１、装置側操作入力／画面出力禁止処理部３２をソフトウェアによって仮想的に実現する。なお、走行判定処理部３１は、特許請求の範囲に記載の走行判定手段に相当し、装置側操作入力／画面出力禁止処理部３２は、特許請求の範囲に記載の装置側操作入力／画面出力禁止手段に相当する。
【００１３】
無線通信モジュール２２は、メイン携帯通信端末１２が備える無線通信モジュール４２との間に無線通信回線を確立し、その無線通信回線を通じてメイン携帯通信端末１２との間で各種の通信を行う。記憶部２３は、例えばハードディスクドライブなどの不揮発性の記憶媒体で構成されており、各種のコンピュータプログラムやコンテンツプログラム、外部の装置や端末と相互に連携してコンテンツを実行する連携機能を実現する連携アプリケーションなどの各種のプログラム、及び、各プログラムで使用されるデータなどを記憶している。
音声処理部２４は、図示しないマイクロホン及びスピーカに接続しており、周知の音声入力機能及び音声出力機能を備える。また、この音声処理部２４は、マイクロホンから入力された音声に基づいて車両用通信装置１１の操作などの指示を制御部２１に出力する一方、制御部２１や無線通信モジュール２２などからの指示に基づいてスピーカから音声を出力することで、いわゆるハンズフリー機能を実現可能である。
【００１４】
表示出力部２５は、例えば液晶表示器や有機ＥＬで構成されており、制御部２１からの表示指令信号に基づいて各種の情報を表示する。この表示出力部２５の画面には、周知の感圧方式、電磁誘導方式、静電容量方式あるいはそれらを組み合わせた方式で構成されるタッチパネルスイッチが設けられる。この表示出力部２５には、コンテンツに対する操作を入力するための操作入力画面（入力インターフェース）、コンテンツの実行内容を出力するための出力画面（出力インターフェース）、例えば図９（ａ）に示す経路案内用の画面Ｎなどの各種画面が表示される。
【００１５】
操作入力部２６は、表示出力部２５の画面上に設けられるタッチパネルスイッチ、及び、表示出力部２５の周囲に設けられているメカニカルスイッチなど各種のスイッチ類を含む。操作入力部２６は、使用者による各種のスイッチの操作に応じて操作検知信号を制御部２１に出力する。制御部２１は、操作入力部２６から入力された操作検知信号を解析して使用者の操作内容を特定し、特定した操作内容に基づいて各種の処理を実行する。
信号入力部２７は、車両に搭載されている図示しないＡＣＣスイッチ（アクセサリスイッチ）に接続しており、ＡＣＣスイッチから出力されたＡＣＣ信号を制御部２１へ入力する。制御部２１は、入力されたＡＣＣ信号のオンオフに基づいて図示しない電源回路のオンオフを制御する。即ち、制御部２１は、ＡＣＣ信号がオフからオンに遷移したタイミングで電源回路をオンする。また、制御部２１は、ＡＣＣ信号がオンからオフに遷移したタイミングで電源回路をオフする。
【００１６】
位置取得部２８は、図示しない周知の地磁気センサ、ジャイロスコープ、車速センサ、ＧＰＳ受信機などの各種のセンサ類を備えている。位置取得部２８は、これらセンサ類から入力される検出信号を互いに補完することにより車両の位置情報を取得する。位置取得部２８は、取得した車両の位置情報を制御部２１に出力する。制御部２１は、位置取得部２８で取得した車両の位置情報及び図示しない経路探索部により探索された案内経路などに基づいて、いわゆるナビゲーション処理を実行する。
走行判定処理部３１は、位置取得部２８が備える車速センサによって検出される車両の速度、図示しないアクセル開度センサによって検出されるアクセル開度、位置取得部２８によって取得される車両の位置の変化など車両の走行に伴い変化する各種の検出信号に基づいて、車両が走行中であるか否かを判定する。
【００１７】
装置側操作入力／画面出力禁止処理部３２は、走行判定処理部３１により車両が走行中であると判定された場合に、当該車両用通信装置１１にて所定のコンテンツの入力インターフェース（操作入力画面）及び出力インターフェース（出力画面）を提供することを禁止し、これにより、当該車両用通信装置１１からの所定のコンテンツの操作及び画面出力を禁止する。なお、装置側操作入力／画面出力禁止処理部３２は、走行判定処理部３１により車両が走行中であると判定された場合に、当該車両用通信装置１１にて所定のコンテンツの入力インターフェース又は出力インターフェースを提供することを禁止するように設定することも可能である。この場合、当該車両用通信装置１１からの所定のコンテンツの操作又は画面出力が禁止されるようになる。即ち、装置側操作入力／画面出力禁止処理部３２は、所定のコンテンツとして設定されたコンテンツの操作入力態様あるいは出力態様などに応じて、入力インターフェース及び出力インターフェースの双方の提供を禁止するのか、あるいは、入力インターフェース又は出力インターフェースの何れか一方の提供を禁止するのかを選択して設定できる構成である。
【００１８】
所定のコンテンツとしては、車両の走行中に運転者が操作したり出力画面を視認したりすることが好ましくないと考えられるコンテンツを設定することが望ましく、この場合、種々の文字入力などの操作が求められ且つ多数の文字や動画が画面に表示出力される施設検索サービスを実現するコンテンツＢが設定されている。即ち、車両が走行している間は、コンテンツＢの入力インターフェース及び／又は出力インターフェースが車両用通信装置１１にて提供されなくなり、車両用通信装置１１を介してコンテンツＢの操作を入力すること、及び／又は、コンテンツＢの実行内容を車両用通信装置１１を介して出力（画面出力）することができないようになる。
【００１９】
なお、装置側操作入力／画面出力禁止処理部３２によって禁止されるのは、例えば車両の走行中に運転者が操作したり出力画面を視認したりすることが好ましくないコンテンツとして設定された所定のコンテンツの操作入力及び／又は画面出力である。よって、例えばインターネットラジオなどの音声出力は、車両の走行中において運転者が視認するものではないから、装置側操作入力／画面出力禁止処理部３２による禁止対象から除外するように設定することができる。
【００２０】
次に、メイン携帯通信端末１２の構成について説明する。メイン携帯通信端末１２は、制御部４１、無線通信モジュール４２、記憶部４３、音声処理部４４、表示出力部４５、操作入力部４６、電話通信部４７などを備えている。制御部４１は、図示しないＣＰＵ、ＲＡＭ、ＲＯＭ及びＩ／Ｏバスなどを有する周知のマイクロコンピュータで構成されている。制御部４１は、ＲＯＭあるいは記憶部４３などに記憶されているコンピュータプログラムに従ってメイン携帯通信端末１２の動作全般を制御する。また、この制御部４１は、コンピュータプログラムを実行することにより、端末側操作入力／画面出力禁止処理部５１、操作入力／画面出力提供処理部５２、コンテンツ実行処理部５３、送信処理部５４をソフトウェアによって仮想的に実現する。なお、端末側操作入力／画面出力禁止処理部５１は、特許請求の範囲に記載の端末側操作入力／画面出力禁止手段に相当し、操作入力／画面出力提供処理部５２は、特許請求の範囲に記載の操作入力／画面出力提供手段に相当し、コンテンツ実行処理部５３は、特許請求の範囲に記載のコンテンツ実行手段に相当し、送信処理部５４は、特許請求の範囲に記載の送信手段に相当する。
【００２１】
無線通信モジュール４２は、車両用通信装置１１が備える無線通信モジュール２２との間に無線通信回線を確立し、その無線通信回線を通じて車両用通信装置１１との間で各種の通信を行う。記憶部４３は、例えばメモリカードなどの不揮発性の記憶媒体で構成されており、各種のコンピュータプログラムやコンテンツプログラム、外部の装置や端末と相互に連携してコンテンツを実行する連携機能を実現する連携アプリケーションなどの各種のプログラム、及び、各プログラムで使用されるデータなどを記憶している。
音声処理部４４は、図示しないマイクロホン及びスピーカに接続しており、周知の音声入力機能及び音声出力機能を備える。また、この音声処理部４４は、マイクロホンから入力された発話音声を制御部４１に出力する一方、制御部４１から入力される受話音声をスピーカから出力することで、いわゆる通話機能を実現するほか、マイクロホンから入力された音声に基づいてメイン携帯通信端末１２の操作などの指示を制御部４１に出力する一方、制御部４１や無線通信モジュール４２などからの指示に基づいてスピーカから音声を出力することで、いわゆるハンズフリー機能を実現可能である。
【００２２】
表示出力部４５は、例えば液晶表示器や有機ＥＬ表示器で構成されており、制御部４１からの表示指令信号に基づいて各種の情報を表示する。この表示出力部４５の画面には、周知の感圧方式、電磁誘導方式、静電容量方式あるいはそれらを組み合わせた方式で構成されるタッチパネルスイッチが設けられる。この表示出力部４５には、コンテンツに対する操作を入力するための操作入力画面（入力インターフェース）、コンテンツの実行内容を出力するための出力画面（出力インターフェース）、例えば図９（ａ）に示す通常のメニュー画面Ｇなどの各種画面が表示される。
【００２３】
操作入力部４６は、表示出力部４５の画面上に設けられるタッチパネルスイッチ、及び、表示出力部４５の周囲に設けられているメカニカルスイッチなど各種のスイッチ類を含む。操作入力部４６は、使用者による各種のスイッチの操作に応じて操作検知信号を制御部４１に出力する。制御部４１は、操作入力部４６から入力された操作検知信号を解析して使用者の操作内容を特定し、特定した操作内容に基づいて各種の処理を実行する。
電話通信部４７は、通信網１００との間に無線通信回線を確立し、この無線通信回線を介して電話通信を実行する。この場合、通信網１００は、図示しない携帯電話基地局や基地局制御装置などの周知の公衆回線網を使用する携帯電話通信サービスを提供する設備を含む。また、制御部４１は、この電話通信部４７を介して、通信網１００に接続している配信センター１４から各種のコンテンツやデータなどを取得する。
【００２４】
端末側操作入力／画面出力禁止処理部５１は、携帯通信端末が車両用通信装置１１にメイン携帯通信端末として通信可能に接続された場合に有効化される処理部であり、メイン携帯通信端末１２が実行可能な全てのコンテンツの入力インターフェース及び出力インターフェースを当該メイン携帯通信端末１２にて提供することを禁止し、これにより、メイン携帯通信端末からの全てのコンテンツの操作及び出力を禁止する。この場合、メイン携帯通信端末１２においては、この端末側操作入力／画面出力禁止処理部５１が有効化されている。よって、この端末側操作入力／画面出力禁止処理部５１が動作することにより、メイン携帯通信端末１２からは、当該メイン携帯通信端末１２で実行可能な全てのコンテンツの操作及び出力が不能な状態となる。
【００２５】
操作入力／画面出力提供処理部５２は、携帯通信端末がメイン携帯通信端末１２にサブ携帯通信端末として通信可能に接続された場合に有効化される処理部であり、装置側操作入力／画面出力禁止処理部３２によって車両用通信装置１１からの操作及び画面出力が禁止されたコンテンツの入力インターフェース及び出力インターフェース、あるいは、装置側操作入力／画面出力禁止処理部３２によって車両用通信装置１１からの操作又は画面出力が禁止されたコンテンツの入力インターフェース又は出力インターフェースを提供し、これにより、サブ携帯通信端末からのコンテンツ（車両用通信装置１１からの操作及び／又は画面出力が禁止されたコンテンツ）の操作及び／又は画面出力を可能とする。この場合、メイン携帯通信端末１２においては、この操作入力／画面出力提供処理部５２が無効化されている。よって、メイン携帯通信端末１２からは、車両用通信装置１１からの操作及び／又は画面出力が禁止されたコンテンツの操作及び／又は画面出力が不能な状態となっている。
【００２６】
コンテンツ実行処理部５３は、携帯通信端末が車両用通信装置１１にメイン携帯通信端末として通信可能に接続された場合に有効化される処理部であり、外部の車両用通信装置１１、または外部のサブ携帯通信端末１３からの操作に基づき、その操作入力に従ってコンテンツを実行する。即ち、車両用通信システム１０は、メイン携帯通信端末１２の外部の装置や端末からの操作入力に基づきメイン携帯通信端末１２にてコンテンツを実行する構成である。なお、このコンテンツ実行処理部５３は、携帯通信端末がメイン携帯通信端末にサブ携帯通信端末として通信可能に接続された場合には無効化される処理部である。また、携帯通信端末は、メイン携帯通信端末１２あるいはサブ携帯通信端末１３として設定されていない状態、つまり、携帯通信端末単体の状態では、当該携帯通信端末からの操作に基づき、その操作入力に従って単体でコンテンツを実行する構成である。
【００２７】
送信処理部５４は、携帯通信端末が車両用通信装置１１にメイン携帯通信端末として通信可能に接続された場合に有効化される処理部であり、コンテンツ実行処理部５３によるコンテンツの出力内容（出力データ）を無線通信モジュール４２を介して車両用通信装置１１及びサブ携帯通信端末１３のうち少なくとも何れか一方に送信する。
【００２８】
次に、サブ携帯通信端末１３の構成について説明する。サブ携帯通信端末１３は、制御部６１、無線通信モジュール６２、記憶部６３、音声処理部６４、表示出力部６５、操作入力部６６、電話通信部６７などを備えている。制御部６１は、コンピュータプログラムを実行することにより、特許請求の範囲に記載の端末側操作入力／画面出力禁止手段に相当する端末側操作入力／画面出力禁止処理７１、特許請求の範囲に記載の操作入力／画面出力提供手段に相当する操作入力／画面出力提供処理部７２、特許請求の範囲に記載のコンテンツ実行手段に相当するコンテンツ実行処理部７３、特許請求の範囲に記載の送信手段に相当する送信処理部７４をソフトウェアによって仮想的に実現する。
【００２９】
無線通信モジュール６２、記憶部６３、音声処理部６４、表示出力部６５、操作入力部６６、電話通信部６７の機能は、上述したメイン携帯通信端末１２が備える無線通信モジュール４２、記憶部４３、音声処理部４４、表示出力部４５、操作入力部４６、電話通信部４７と同様である。但し、無線通信モジュール６２は、車両用通信装置１１の無線通信モジュール２２ではなくメイン携帯通信端末１２の無線通信モジュール４２との間に無線通信回線を確立して、メイン携帯通信端末１２との間で各種の通信を行う。また、電話通信部６７は、通信網１００との間に無線通信回線を確立して電話通信が可能であるが、制御部６１は、電話通信部４７を介して配信センター１４から各種のコンテンツやデータなどを取得することができず、メイン携帯通信端末１２を介して各種のコンテンツやデータなどを取得するように設定される。
【００３０】
端末側操作入力／画面出力禁止処理７１、操作入力／画面出力提供処理部７２、コンテンツ実行処理部７３、送信処理部７４の機能も、上述した端末側操作入力／画面出力禁止処理部５１、操作入力／画面出力提供処理部５２、コンテンツ実行処理部５３、送信処理部５４の機能と同様である。但し、この場合、サブ携帯通信端末１３においては、端末側操作入力／画面出力禁止処理７１、コンテンツ実行処理部７３、送信処理部７４が無効化され、操作入力／画面出力提供処理部７２が有効化されている。よって、サブ携帯通信端末１３からは、メイン携帯通信端末１２で実行可能な全てのコンテンツの操作及び出力が可能な状態となっており、また、操作入力／画面出力提供処理部７２が動作することにより、車両用通信装置１１からの操作及び／又は画面出力が禁止されたコンテンツの操作及び／又は画面出力も可能な状態となる。
【００３１】
上述した車両用通信装置１１、メイン携帯通信端末１２、サブ携帯通信端末１３は、相互に通信可能に接続されて車両用通信システム１０を構築した場合に、これら車両用通信装置１１、メイン携帯通信端末１２、サブ携帯通信端末１３がそれぞれ備える連携アプリケーションを起動することにより、メイン携帯通信端末１２が配信センター１４から取得したコンテンツを相互に連携して実行することができる。次に、これら車両用通信装置１１、メイン携帯通信端末１２、サブ携帯通信端末１３が相互に連携してコンテンツを実行する場合の動作について説明する。
【００３２】
即ち、図３に示すように、車両が走行していない状態で車両用通信装置１１にメイン携帯通信端末１２が通信可能に接続されて、これら車両用通信装置１１及びメイン携帯通信端末１２にてそれぞれ連携アプリケーションが起動されると、メイン携帯通信端末１２が有する全てのコンテンツＡ，Ｂの実行処理は当該メイン携帯通信端末１２にて実行され、これらコンテンツＡ，Ｂの入力インターフェース及び出力インターフェースは車両用通信装置１１にて提供される状態となる。
【００３３】
そして、車両が走行を開始すると、図４に示すように、メイン携帯通信端末１２が実行可能なコンテンツＡ，Ｂのうち一部のコンテンツＢの入力インターフェース及び／又は出力インターフェースについては、車両用通信装置１１からの提供が禁止されるようになる。よって、この状態では、コンテンツＢは、車両用通信装置１１からもメイン携帯通信端末１２からも利用できなくなる。
【００３４】
この状態から、図５に示すように、サブ携帯通信端末１３がメイン携帯通信端末１２に通信可能に接続されて車両用通信システム１０が構築され、当該サブ携帯通信端末１３においても連携アプリケーションが起動されると、車両用通信装置１１からの提供が禁止されたコンテンツＢの入力インターフェース及び／又は出力インターフェースが当該サブ携帯通信端末１３から提供されるようになる。これにより、コンテンツＢは、サブ携帯通信端末１３からであれば利用することができるようになる。なお、このとき、サブ携帯通信端末１３は、コンテンツＡの入力インターフェース及び／又は出力インターフェースも提供することも可能である。これにより、コンテンツＡは、車両用通信装置１１のみならずサブ携帯通信端末１３からも利用できるようになる。
【００３５】
次に、上記した構成の車両用通信システム１０の動作についてフローチャートを参照しながら説明する。なお、以下に説明する処理は、車両用通信装置１１の制御部２１、メイン携帯通信端末１２の制御部４１、サブ携帯通信端末１３の制御部６１が実行する処理であるが、説明の簡略化のため、それぞれ「車両用通信装置１１」、「メイン携帯通信端末１２」、「サブ携帯通信端末１３」を主体にして説明する。
【００３６】
（車両用通信装置による処理）
図６に示すように、車両用通信装置１１は、車両のＡＣＣスイッチがオンされると（ステップＡ１：ＹＥＳ）、当該車両用通信装置１１に携帯通信端末がメイン携帯通信端末として通信可能に接続されたか否かを監視する（ステップＡ２）。そして、車両用通信装置１１は、メイン携帯通信端末１２が通信可能に接続されると（ステップＡ２：ＹＥＳ）、そのメイン携帯通信端末１２から連携アプリ起動状態情報を受信したか否かを監視する（ステップＡ３）。なお、車両用通信装置１１にメイン携帯通信端末１２が通信可能に接続されたとしても、車両用通信装置１１の画面は、図９（ｂ）に示すように何ら変化しないように設定されている。また、連携アプリ起動状態情報は、少なくとも、各装置あるいは各端末（この場合、車両用通信装置１１）にて連携アプリケーションが起動していることを示す情報を含む。また、この携アプリ起動状態情報には、連携アプリケーションによって実行可能なコンテンツに関する情報、例えばコンテンツの名称、内容、機能などを示す情報を付加することが可能である。
【００３７】
車両用通信装置１１は、メイン携帯通信端末１２から連携アプリ起動状態情報を受信すると（ステップＡ３：ＹＥＳ）、使用者による操作に応じて当該車両用通信装置１１が備える連携アプリケーションを起動する（ステップＡ４）。これにより、車両用通信装置１１の画面は、図９（ｃ）に示すように、連携アプリケーションのメニュー画面Ｍに遷移する。このメニュー画面Ｍには、コンテンツＡを起動するための起動ボタンＢａ、コンテンツＢを起動するための起動ボタンＢｂなど、各種コンテンツを起動するための起動ボタンが設けられている。
【００３８】
車両用通信装置１１は、連携アプリケーションを起動すると、連携アプリ起動状態情報をメイン携帯通信端末１２に送信する（ステップＡ５）。そして、車両用通信装置１１は、車両が走行中か否かを判断する（ステップＡ６）。車両用通信装置１１は、車両が走行中である場合（ステップＡ６：ＹＥＳ）には、メイン携帯通信端末１２が実行可能なコンテンツＡ，Ｂのうち、所定のコンテンツとして設定されていないコンテンツＡの入力インターフェース及び／又は出力インターフェースを当該車両用通信装置１１から提供してコンテンツＡの利用を許容し、所定のコンテンツとして設定されているコンテンツＢの入力インターフェース及び／又は出力インターフェースを当該車両用通信装置１１から提供することを禁止して当該コンテンツＢの利用を制限する（ステップＡ７）。そして、車両用通信装置１１は、ステップＡ８に移行する。
【００３９】
車両用通信装置１１は、車両が走行中でない場合（ステップＡ６：ＮＯ）には、一部のコンテンツ（この場合、コンテンツＢ）の利用を制限することなく、メイン携帯通信端末１２が実行可能な全てのコンテンツＡ，Ｂの入力インターフェース及び出力インターフェースを提供して、ステップＡ８に移行する。なお、車両用通信装置１１は、コンテンツの入力インターフェース及び出力インターフェースの提供に必要なデータを有していない場合には、その必要なデータをメイン携帯通信端末１２を介して配信センター１４から取得することが可能である。
【００４０】
車両用通信装置１１は、ステップＡ８に移行すると、操作入力部２６から入力された操作検知信号をメイン携帯通信端末１２に送信する。このとき、車両用通信装置１１は、車両が走行中でなければ、コンテンツＡに関する操作検知信号及びコンテンツＢに関する操作検知信号をメイン携帯通信端末１２に送信可能である。一方、車両用通信装置１１は、車両が走行中である場合には、コンテンツＡに関する操作検知信号をメイン携帯通信端末１２に送信可能であるが、コンテンツＢに関する操作検知信号を送信することはできない。
【００４１】
また、車両用通信装置１１は、メイン携帯通信端末１２に操作検知信号を随時送信しながら、メイン携帯通信端末１２からコンテンツ実行情報を受信したか否かを監視する（ステップＡ９）。そして、車両用通信装置１１は、メイン携帯通信端末１２からコンテンツ実行情報を受信すると、そのコンテンツ実行情報に基づいてコンテンツの実行内容を当該車両用通信装置１１から出力する（ステップＡ１０）。
このとき、車両用通信装置１１は、車両が走行中でなければ、コンテンツＡに関するコンテンツ実行情報に基づいてコンテンツＡの実行内容を出力することが可能であり、また、コンテンツＢに関するコンテンツ実行情報に基づいてコンテンツＢの実行内容を出力することが可能である。一方、車両用通信装置１１は、車両が走行中である場合には、コンテンツＡに関するコンテンツ実行情報に基づいてコンテンツＡの実行内容を出力することが可能であるが、コンテンツＢに関するコンテンツ実行情報に基づいてコンテンツＢの実行内容を出力することはできない。
【００４２】
また、車両用通信装置１１は、メイン携帯通信端末１２への操作検知信号の送信（ステップＡ８）及び受信したコンテンツ実行情報に基づくコンテンツの実行内容の出力（ステップＡ１０）を随時行いながら、車両用通信装置１１にて起動されている連携アプリケーションが終了したか否かを監視する（ステップＡ１１）。車両用通信装置１１は、連携アプリケーションが起動されている場合（ステップＡ１１：ＮＯ）には、上記したステップＡ８に移行する。一方、車両用通信装置１１は、連携アプリケーションが終了されると（ステップＡ１１：ＹＥＳ）、車両のＡＣＣスイッチがオフされたか否かを確認する（ステップＡ１２）。車両用通信装置１１は、ＡＣＣスイッチがオフされていなければ（ステップＡ１２：ＮＯ）、上記したステップＡ３に移行する。一方、車両用通信装置１１は、ＡＣＣスイッチがオフされていれば（ステップＡ１２：ＹＥＳ）、この処理を終了する。
【００４３】
（メイン携帯通信端末による処理）
図７に示すように、携帯通信端末は、起動されると、車両用通信装置１１に通信可能に接続されたか否かを監視しており（ステップＢ１）、車両用通信装置１１に通信可能に接続されると（ステップＢ１：ＹＥＳ）、メイン携帯通信端末１２として、当該メイン携帯通信端末１２にて連携アプリケーションが起動されたか否かを監視する（ステップＢ２）。
【００４４】
そして、メイン携帯通信端末１２は、使用者による操作に応じて連携アプリケーションが起動されると（ステップＢ２：ＹＥＳ）、連携アプリ起動状態情報を車両用通信装置１１及びサブ携帯通信端末１３に送信する（ステップＢ３）。なお、図９（ｂ）に示すように、車両用通信装置１１にメイン携帯通信端末１２として通信可能に接続され、且つ、連携アプリケーションが起動された携帯通信端末の画面は、連携アプリケーションのメニュー画面Ｍに遷移する。このメニュー画面Ｍには、コンテンツＡを起動するための起動ボタンＢａ、コンテンツＢを起動するための起動ボタンＢｂなど、各種コンテンツを起動するための起動ボタンが設けられている。
【００４５】
また、メイン携帯通信端末１２は、車両用通信装置１１から連携アプリ起動状態情報を受信したか否かを監視する（ステップＢ４）。そして、メイン携帯通信端末１２は、車両用通信装置１１から連携アプリ起動状態情報を受信すると（ステップＢ４：ＹＥＳ）、図９（ｃ）に示すように、メイン携帯通信端末１２の画面をロック画面Ｒに遷移させる（ステップＢ５）。これにより、メイン携帯通信端末１２からの全てのコンテンツＡ，Ｂの利用が禁止される。なお、このとき、メイン携帯通信端末１２では、連携アプリケーションが起動したままの状態であり、外部の装置や端末から入力される操作検知信号に基づいてコンテンツが実行されるようになっている。
【００４６】
メイン携帯通信端末１２は、ロック画面Ｒを表示すると、車両用通信装置１１から操作検知信号を受信したか否か（ステップＢ６）及びサブ携帯通信端末１３から操作検知信号を受信したか否か（ステップＢ７）を監視する。そして、メイン携帯通信端末１２は、車両用通信装置１１から操作検知信号を受信すると（ステップＢ６：ＹＥＳ）、あるいは、サブ携帯通信端末１３から操作検知信号を受信すると（ステップＢ７：ＹＥＳ）、その受信した操作検知信号に基づいてコンテンツを実行する（ステップＢ８）。
【００４７】
そして、メイン携帯通信端末１２は、実行したコンテンツの実行内容を出力するためのコンテンツ実行情報を車両用通信装置１１あるいはサブ携帯通信端末１３に送信する（ステップＢ９）。なお、メイン携帯通信端末１２は、車両用通信装置１１から操作検知信号を受信した場合（ステップＢ６：ＹＥＳ）にはコンテンツ実行情報を車両用通信装置１１に送信し、サブ携帯通信端末１３から操作検知信号を受信した場合（ステップＢ７：ＹＥＳ）にはコンテンツ実行情報をサブ携帯通信端末１３に送信するように設定されている。但し、メイン携帯通信端末１２は、車両用通信装置１１から操作検知信号を受信した場合にコンテンツ実行情報をサブ携帯通信端末１３に送信し、サブ携帯通信端末１３から操作検知信号を受信した場合にはコンテンツ実行情報を車両用通信装置１１に送信するように設定することも可能であり、また、コンテンツの実行結果などに応じてコンテンツ実行情報を送信する相手を選択するように設定することも可能である。
メイン携帯通信端末１２は、車両用通信装置１１あるいはサブ携帯通信端末１３からの操作検知信号の受信、受信した操作検知信号に基づくコンテンツの実行及びコンテンツ実行情報の送信を随時行いながら、メイン携帯通信端末１２にて起動されている連携アプリケーションが終了したか否かを監視する（ステップＢ１０）。そして、メイン携帯通信端末１２は、連携アプリケーションが終了されると（ステップＢ１０：ＹＥＳ）、この処理を終了する。
【００４８】
（サブ携帯通信端末による処理）
図８に示すように、携帯通信端末は、起動されると、メイン携帯通信端末１２に通信可能に接続されたか否かを監視しており（ステップＣ１）、メイン携帯通信端末１２に通信可能に接続されると（ステップＣ１：ＹＥＳ）、サブ携帯通信端末１３として、そのメイン携帯通信端末１２から連携アプリ起動状態情報を受信したか否かを監視する（ステップＣ２）。そして、サブ携帯通信端末１３は、メイン携帯通信端末１２から連携アプリ起動状態情報を受信すると（ステップＣ２：ＹＥＳ）、使用者による操作に応じて当該サブ携帯通信端末１３が備える連携アプリケーションを起動する（ステップＣ３）。
そして、サブ携帯通信端末１３は、メイン携帯通信端末１２が実行可能な全てのコンテンツＡ，Ｂの入力インターフェース及び出力インターフェースを当該サブ携帯通信端末１３から提供する（ステップＣ４）。なお、サブ携帯通信端末１３は、コンテンツの入力インターフェース及び出力インターフェースの提供に必要なデータを有していない場合には、必要なデータをメイン携帯通信端末１２を介して配信センター１４から取得する。
【００４９】
そして、サブ携帯通信端末１３は、ステップＣ５に移行して、操作入力部６６から入力された操作検知信号をメイン携帯通信端末１２に送信する。このとき、サブ携帯通信端末１３は、車両が走行中であるか否かに関わらず、コンテンツＡに関する操作検知信号及びコンテンツＢに関する操作検知信号をメイン携帯通信端末１２に送信可能である。
また、サブ携帯通信端末１３は、メイン携帯通信端末１２に操作検知信号を送信しながら、メイン携帯通信端末１２からコンテンツ実行情報を受信したか否かを監視する（ステップＣ６）。そして、サブ携帯通信端末１３は、メイン携帯通信端末１２からコンテンツ実行情報を受信すると（ステップＣ６：ＹＥＳ）、そのコンテンツ実行情報に基づいてコンテンツの実行内容を当該サブ携帯通信端末１３から出力する（ステップＣ７）。このとき、サブ携帯通信端末１３は、車両が走行中であるか否かに関わらず、コンテンツＡに関するコンテンツ実行情報に基づいてコンテンツＡの実行内容を出力することが可能であり、また、コンテンツＢに関するコンテンツ実行情報に基づいてコンテンツＢの実行内容を出力することが可能である。
【００５０】
また、サブ携帯通信端末１３は、メイン携帯通信端末１２への操作検知信号の送信及び受信したコンテンツ実行情報に基づくコンテンツの実行内容の出力を随時行いながら、サブ携帯通信端末１３にて起動されている連携アプリケーションが終了したか否かを監視する（ステップＣ８）。そして、サブ携帯通信端末１３は、連携アプリケーションが終了されると（ステップＣ８：ＹＥＳ）、この処理を終了する。
次に、上述した車両用通信装置１１、メイン携帯通信端末１２、サブ携帯通信端末１３によりコンテンツＢ（施設検索サービスを実現するコンテンツ）を利用する場合の動作について説明する。
【００５１】
（車両用通信装置及びメイン携帯通信端末によりコンテンツＢを利用する場合）
車両用通信装置１１及びメイン携帯通信端末１２によりコンテンツＢを利用する場合、つまり、サブ携帯通信端末１３が存在しない状態でコンテンツＢを利用する場合、図１０（ａ）に示すように、車両が走行を開始していない状態で車両用通信装置１１に表示されているメニュー画面ＭからコンテンツＢの起動ボタンＢｂが操作されると、メイン携帯通信端末１２にてコンテンツＢが起動され、そのコンテンツＢの実行内容が車両用通信装置１１から出力される。これにより、車両用通信装置１１の画面には、図１０（ｂ）に示すようにコンテンツＢのトップ画面Ｔが表示される。
【００５２】
このトップ画面Ｔには、施設の検索に用いるキーワードを入力するためのキーワード入力部Ｔａ、検索を実行するための検索ボタンＴｂ、検索エリアを指定するための検索エリア指定部Ｔｃなどが設けられている。車両用通信装置１１は、キーワード入力部Ｔａへのキーワードの入力操作、検索ボタンＴｂの操作、検索エリア指定部Ｔｃによる検索エリアの指定操作など各種の操作を検知すると、その操作に対応する操作検知信号をメイン携帯通信端末１２に送信する。メイン携帯通信端末１２は、車両用通信装置１１から受信した操作検知信号に応じてコンテンツＢによる検索処理を実行し、その実行内容（検索結果）を示すコンテンツ実行情報を車両用通信装置１１に送信する。
【００５３】
車両用通信装置１１は、メイン携帯通信端末１２から受信したコンテンツ実行情報、つまり、施設の検索結果を、図１０（ｃ）に示すように、当該車両用通信装置１１の画面に表示する。これにより、使用者は、キーワード入力部Ｔａに任意のキーワードを入力し検索ボタンＴｂを操作することで、施設の検索を行うことができる。車両用通信装置１１は、検索された施設を、例えば経路案内の目的地に設定することができる。また、車両用通信装置１１は、検索された施設が複数存在する場合には、それら複数の施設を選択可能に一覧表示することができる。
【００５４】
ここで、上述のコンテンツＢによる検索処理において、例えば、使用者がキーワード入力部Ｔａにキーワードを入力している途中に車両が走行を開始すると、車両用通信装置１１は、トップ画面Ｔを無効化し、当該車両用通信装置１１からのキーワードの入力を禁止する。そして、車両用通信装置１１は、車両が走行している間はトップ画面Ｔを無効化した状態を維持し、車両が停止すると、トップ画面Ｔを有効化して当該車両用通信装置１１からのキーワードの入力を許容する。即ち、車両用通信装置１１は、車両の走行中においては、コンテンツＢの入力インターフェース（トップ画面Ｔ）を無効化することで、当該車両用通信装置１１からのコンテンツＢの利用を禁止する。
【００５５】
（車両が走行を開始する前からサブ携帯通信端末にて連携アプリケーションが起動されている場合）
この場合、図１１（ａ）に示すように、車両が走行を開始していない状態で車両用通信装置１１に表示されているメニュー画面ＭからコンテンツＢの起動ボタンＢｂが操作されると、その操作検知信号に基づいてメイン携帯通信端末１２にてコンテンツＢが起動され、そのコンテンツＢの実行内容が車両用通信装置１１から出力される。これにより、車両用通信装置１１の画面には、図１１（ｂ）に示すようにコンテンツＢのトップ画面Ｔが表示される。また、図１１（ａ）に示すように、サブ携帯通信端末１３の画面には、当該サブ携帯通信端末１３にて連携アプリケーションが起動されることでメニュー画面Ｍが表示される。また、メイン携帯通信端末１２は、車両用通信装置１１から受信した操作検知信号に基づくコンテンツＢの実行内容をサブ携帯通信端末１３にも送信する。これにより、車両用通信装置１１の画面が変化することに伴い、図１１（ｂ）に示すように、サブ携帯通信端末１３の画面にも車両用通信装置１１の画面と同様の内容が表示される。
【００５６】
ここで、例えば、上述のコンテンツＢによる検索処理において、例えば、使用者がキーワード入力部Ｔａにキーワードを入力している途中に車両が走行を開始すると、図１１（ｃ）に示すように、車両用通信装置１１は、当該車両用通信装置１１の画面に表示されているトップ画面Ｔを無効化し、当該車両用通信装置１１からのキーワードの入力を禁止する。一方、サブ携帯通信端末１３は、車両が走行を開始したとしても、当該サブ携帯通信端末１３の画面に表示されているトップ画面Ｔを無効化せず、当該サブ携帯通信端末１３からのキーワードの入力を許容する。これにより、車両の走行中においても、使用者は、サブ携帯通信端末１３から引き続きキーワードを入力してコンテンツＢによる検索処理を継続することができる。
【００５７】
（車両が走行を開始した後にサブ携帯通信端末にて連携アプリケーションが起動された場合）
この場合、図１２（ａ）に示すように、車両が走行を開始していない状態で車両用通信装置１１に表示されているメニュー画面ＭからコンテンツＢの起動ボタンＢｂが操作されると、メイン携帯通信端末１２にてコンテンツＢが起動され、そのコンテンツＢの実行内容が車両用通信装置１１から出力される。これにより、車両用通信装置１１の画面には、図１２（ｂ）に示すようにコンテンツＢのトップ画面Ｔが表示される。
【００５８】
ここで、上述のコンテンツＢによる検索処理において、例えば、使用者がキーワード入力部Ｔａにキーワードを入力している途中に車両が走行を開始すると、図１２（ｃ）に示すように、車両用通信装置１１は、トップ画面Ｔを無効化し、当該車両用通信装置１１からのキーワードの入力を禁止する。この状態では、車両用通信装置１１からもメイン携帯通信端末１２からもコンテンツＢを操作することができない。
そこで、運転者以外の者は、サブ携帯通信端末１３にて連携アプリケーションを起動する。これにより、サブ携帯通信端末１３の画面には、メニュー画面Ｍが表示される。サブ携帯通信端末１３にて連携アプリケーションが起動されると、メイン携帯通信端末１２は、それまでに車両用通信装置１１から受信した操作検知信号に基づくコンテンツＢの実行内容をサブ携帯通信端末１３に送信する。
【００５９】
これにより、図１２（ｄ）に示すように、サブ携帯通信端末１３の画面には、車両が走行を開始した時点で車両用通信装置１１の画面に出力されていたコンテンツＢの実行内容が表示される。従って、この場合、サブ携帯通信端末１３の画面は、当該サブ携帯通信端末１３にて連携アプリケーションが起動されると、キーワード入力部Ｔａにキーワードが途中まで入力された状態のトップ画面Ｔに自動的に遷移する。これにより、車両の走行中においても、運転者以外の者は、サブ携帯通信端末１３から引き続きキーワードを入力してコンテンツＢによる検索処理を継続することができる。
【００６０】
以上に説明したように本実施形態によれば、運転者が所有すると想定される携帯通信端末が、車両が走行していない状態で車両用通信装置１１にメイン携帯通信端末１２として通信可能に接続されると、そのメイン携帯通信端末１２にて実行可能な全てのコンテンツＡ,Ｂの当該メイン携帯通信端末１２からの利用が禁止される。そして、これらコンテンツＡ，Ｂは車両用通信装置１１から利用できるようになる。この状態から、車両が走行を開始すると、車両用通信装置１１からのコンテンツＢの利用が禁止される。即ち、コンテンツＢは、車両用通信装置１１からもメイン携帯通信端末１２からも利用することができなくなる。そして、これらメイン携帯通信端末１２及び車両用通信装置１１の双方からの利用が禁止されたコンテンツＢは、運転者以外の者が所有すると想定されるサブ携帯通信端末１３から利用することができるようになる。これにより、サブ携帯通信端末１３の所有者、つまり、車両の走行中にコンテンツＢを利用したとしても走行の安全性を損なわないと考えられる運転者以外の者であれば、車両の走行中においても、その者が所有するサブ携帯通信端末１３からコンテンツＢを利用することができるようになる。
【００６１】
また、各種コンテンツは、メイン携帯通信端末１２が車両用通信装置１１あるいはサブ携帯通信端末１３から入力される操作検知信号に基づいて実行する構成である。即ち、配信センター１４からコンテンツを直接的に取得するメイン携帯通信端末１２にてコンテンツを実行する構成としたので、例えば不足するデータなどが存在する場合には、そのデータを配信センター１４から直ちにメイン携帯通信端末１２に配信することができる。また、配信センター１４から取得したコンテンツやデータを、車両用通信装置１１あるいはサブ携帯通信端末１３に送信する手間を省くことができる。なお、メイン携帯通信端末１２が配信センター１４から取得したコンテンツやデータをさらに車両用通信装置１１あるいはサブ携帯通信端末１３に送信し、これら車両用通信装置１１あるいはサブ携帯通信端末１３にてコンテンツを実行する構成としてもよい。
【００６２】
また、メイン携帯通信端末１２では、端末側操作入力／画面出力禁止処理部５１により、当該メイン携帯通信端末１２で実行可能な全てのコンテンツＡ，Ｂの利用を禁止するように構成した。これにより、運転者が所有すると想定されるメイン携帯通信端末１２からは全てのコンテンツＡ，Ｂの利用を禁止することができ、より一層安全性を向上することができる。
【００６３】
また、車両用通信装置１１では、装置側操作入力／画面出力禁止処理部３２により、メイン携帯通信端末１２で実行可能な全てのコンテンツＡ，Ｂではなく、これらコンテンツＡ，Ｂのうち一部のコンテンツ（この場合、コンテンツＢ）の利用を禁止するように構成した。即ち、全てのコンテンツＡ，Ｂではなく、車両の走行中に運転者が操作することが好ましくないと考えられるコンテンツＢの車両用通信装置１１からの利用が禁止されるように構成したので、コンテンツの利用が必要以上に規制されてしまうことを回避することができる。
また、コンテンツの実行処理自体はメイン携帯通信端末１２で行われるので、車両用通信装置１１の処理負荷を低減することができる。よって、車両用通信装置１１は、他の処理、例えば車両の走行状況に応じた動作制御など負荷が高い処理を無理なく実行することができる。
【００６４】
なお、本発明は、上述した一実施形態のみに限定されるものではなく、その要旨を逸脱しない範囲で種々の実施形態に適用可能であり、例えば、以下のように変形または拡張することができる。
サブ携帯通信端末１３は、メイン携帯通信端末１２ではなく車両用通信装置１１に通信可能に接続される構成としてもよい。また、サブ携帯通信端末１３は、車両用通信装置１１またはメイン携帯通信端末１２の何れかを接続相手として選択できる構成としてもよい。
サブ携帯通信端末１３が複数となる構成であってもよい。また、車両用通信装置１１、メイン携帯通信端末１２、及び、サブ携帯通信端末１３は、有線通信回線により相互に通信可能に接続される構成としてもよい。
【００６５】
車両用通信装置１１に、車両の運転者が所有する携帯通信端末の識別番号（電話番号、製造番号など）を登録しておき、車両用通信装置１１は、通信可能に接続された携帯通信端末の識別番号と登録された識別番号とを照合することに基づいて携帯通信端末の所有者を特定し、特定した所有者が運転者である場合には、その携帯通信端末をメイン携帯通信端末として設定する構成としてもよい。また、携帯通信端末に、車両の運転者以外の者が所有する携帯通信端末の識別番号を登録しておき、メイン携帯通信端末として設定された携帯通信端末は、通信可能に接続された他の携帯通信端末の識別番号と登録された識別番号とを照合することに基づいて他の携帯通信端末の所有者を特定し、特定した所有者が運転者以外の者である場合には、その携帯通信端末をサブ携帯通信端末として設定する構成としてもよい。
車両用通信装置１１としてナビゲーション装置を採用した例を示したが、必ずしもナビゲーション装置である必要ではない。例えば案内機能を有するアプリケーションプログラムがインストールされた機器を車両用通信装置として採用してもよい。また、車両用通信装置は、例えば、車両に組み込まれる車載装置のほか、例えば車両に着脱可能な携帯型の無線装置などで構成することもできる。
【符号の説明】
【００６６】
図面中、１０は車両用通信システム、１１は車両用通信装置、１２はメイン携帯通信端末（第１の携帯通信端末）、１３はサブ携帯通信端末（第２の携帯通信端末）、３１は走行判定処理部（走行判定手段）、３２は装置側操作入力／画面出力禁止処理部（装置側操作入力／画面出力禁止手段）、５１，７１は端末側操作入力／画面出力禁止処理部（端末側操作入力／画面出力禁止手段）、５２，７２は操作入力／画面出力提供処理部（操作入力／画面出力提供手段）、５３，７３はコンテンツ実行処理部（コンテンツ実行手段）、５４，７４は送信処理部（送信手段）を示す。
【図１】
0005811935.tif 000002
【図２】
0005811935.tif 000003
【図３】
0005811935.tif 000004
【図４】
0005811935.tif 000005
【図５】
0005811935.tif 000006
【図６】
0005811935.tif 000007
【図７】
0005811935.tif 000008
【図８】
0005811935.tif 000009
【図９】
0005811935.tif 000010
【図１０】
0005811935.tif 000011
【図１１】
0005811935.tif 000012
【図１２】
0005811935.tif 000013